【手続補正書】
【提出日】平成24年12月13日(2012.12.13)
【手続補正１】
【補正対象書類名】特許請求の範囲
【補正対象項目名】全文
【補正方法】変更
【補正の内容】
【特許請求の範囲】
【請求項１】
物質のヒドロキシル化された表面を、アシル化、シリル化および／またはアルキル化試薬の群からの少なくとも１つの化合物でコーティングして、アシル基、シリル基および／またはアルキル基を該物質の表面に提供する方法であって、該方法は、乾式プロセスであり、
ａ）ヒドロキシル化された表面を有する物質を提供するステップと、
ｂ）アシル化試薬、シリル化試薬および／またはアルキル化試薬から選択される少なくとも１つの試薬を提供するステップであって、
該アシル化試薬は、以下の式の化合物の群から選択され：
【化３９】
2012512014.tif 000001
Ｘは、以下からなる群から選択され：
・ハロゲン、
・ＯＴｆ、
・ＯＭｓ、
・混合炭酸無水物、
・混合酸無水物、
・イミダゾリウム
該アシル化試薬のＲ１、Ｒ２およびＲ３は、Ｈ、１５０未満の分子量を有するアリール、アルキルおよびアルケニル基から選択され、
該アルキル化試薬は、以下の式の化合物の群から選択され：
【化４０】
2012512014.tif 000002
Ｘは、以下からなる群から選択され：
・ハロゲン、
・ＴｆおよびＭｓを含めたスルホネート、ならびに
・ＯＣＯＲ４
Ｒ４は、Ｃ１〜６アルキル、フルオロアルキルまたはアルケニル基であり
該アルキル化試薬のＲ１、Ｒ２およびＲ３は、Ｈ、１５０未満の分子量を有するアルキル、アリール、フルオロアルキル、およびアルケニル基から選択され、
該シリル化試薬は、以下の式の化合物の群から選択され：
【化４１】
2012512014.tif 000003
Ｘは、以下からなる群から選択され：
・ハロゲン
・ＯＳＯ２Ｒ４、
・ＮＲ４Ｒ４、および
・ＯＲ４
Ｒ４は、ＨまたはＣ１〜６アルキル、フルオロアルキルもしくはアルケニル基であり、
該シリル化試薬のＲ１、Ｒ２およびＲ３は、Ｈ、１５０未満の分子量を有するフェニル、アルキル、およびアルケニル基から選択されるステップと、
ｃ）ヒドロキシル化された表面を有する該物質を、アシル化試薬、シリル化試薬および／またはアルキル化試薬から選択される該試薬のうちの少なくとも１つと接触させ、該試薬を気相に保つステップと、
ｄ）その表面に、アシル基、シリル基および／またはアルキル基を含む−Ｏ−共有結合した残基を含む物質を得るステップと
を含む方法。
【請求項２】
前記アシル化試薬が、式：
【化４２】
2012512014.tif 000004
［式中、Ｘ＝Ｆ、Ｃｌ、Ｂｒ、ＯＴｆ（トリフルオロメチルスルホニル）、ＯＭｓ（メチルスルホニル）、ＯＣＯ２Ｒ、ＯＣＯＲまたはイミダゾリウムであり、Ｒは、小アルキル、フルオロアルキルまたはアルケニル基であり、Ｒ１、Ｒ２およびＲ３は、Ｈ、１５０Ｍｗ未満のアリール、アルキルおよびアルケニル基から選択される］の群から選択される、請求項１に記載の方法。
【請求項３】
前記アシル化試薬が、式：
【化４３】
2012512014.tif 000005
［式中、Ｘ＝Ｆ、Ｃｌ、またはＢｒであり、Ｒ１＝Ｈ、ＣＨ３である］の群から選択される、請求項１から２のいずれかに記載の方法。
【請求項４】
前記試薬が塩化メタクリロイル（Ｃ４Ｈ５ＣｌＯ）および／または塩化アクリロイル（Ｃ３Ｈ３ＣｌＯ）である、請求項１から３のいずれかに記載の方法。
【請求項５】
ステップｃ）で前記試薬（複数可）を前記物質と接触させることが乾式プロセスである、請求項１から４のいずれかに記載の方法。
【請求項６】
前記有機起源の物質が前記少なくとも１つの植物に由来する、請求項１から５のいずれかに記載の方法。
【請求項７】
前記アシル化試薬、シリル化試薬および／またはアルキル化試薬または複数の試薬を気体に変換し、これを、担体ガス中で、前記物質を表面コーティングするために十分な時間の間、前記物質を通るように導く、請求項１から６のいずれかに記載の方法。
【請求項８】
前記担体ガスが、窒素、酸素、アルゴンの群から選択される、請求項７に記載の方法。
【請求項９】
前記プロセスにおいて前記アシル基、前記シリル基および／または前記アルキル基が前記物質の前記ヒドロキシル化された表面と接続した際に生じるＨＣｌを除去する、請求項１から８のいずれかに記載の方法。
【請求項１０】
前記ＨＣｌをゼオライトによって捕捉する、請求項９に記載の方法。
【請求項１１】
【化４８】
2012512014.tif 000006
［式中、Ｒ１およびＲ２は、独立して、−Ｈ、Ｃ１〜６アルキル、Ｃ１〜６アルコール、Ｃ１〜６アルコキシ、Ｃ１〜６エーテル、Ｃ１〜６アルケニル、ハロゲンおよびハロゲンで置換されたＣ１〜６アルキルからなる群から選択される］と−Ｏ−共有結合した、セルロースを含む物質を調製するための、請求項１に記載の方法であって、
ａ）セルロースを含む化合物を提供するステップと、
ｂ）式：
【化４９】
2012512014.tif 000007
［式中、Ｒ１およびＲ２は、独立して、−Ｈ、Ｃ１〜６アルキル、Ｃ１〜６アルコール、Ｃ１〜６アルコキシ、Ｃ１〜６エーテル、Ｃ１〜６アルケニル、ハロゲンおよびハロゲンで置換されたＣ１〜６アルキルからなる群から選択され、Ｒ３は、ハロゲン化物、またはハロゲン化アルキルの群から選択される］の化合物を提供するステップと、
ｃ）セルロースを含む前記化合物を以下の式の化合物と接触させるステップと
【化５０】
2012512014.tif 000008
を含み、該化合物を気相に保つ方法。
【請求項１２】
前記セルロースを含む化合物が植物繊維である、請求項１１に記載の方法。
【請求項１３】
請求項１から１２のいずれかに記載の方法に従って表面コーティングする、表面コーティングした物質。
【請求項１４】
１〜２００，０００，０００個／平方マイクロメートルに対応するＯ−連結の度合を有する、請求項１３に記載の表面コーティングした物質。
【請求項１５】
請求項１３から１４のいずれかに記載の表面コーティングした物質から生産した物品。
【請求項１６】
防水である、請求項１５に記載の物品。
【請求項１７】
容器、建築材、家具、自動車産業のインテリア、食品貯蔵材料の群から選択される、請求項１５から１６のいずれかに記載の物品。
【請求項１８】
紙製品である、請求項１５から１６のいずれかに記載の物品。
【請求項１９】
ａ．反応器、
ｂ．試薬（複数可）用の器、
ｃ．担体ガス用の器、
ｄ．反応器、試薬（複数可）を加熱するための器、および担体ガス用の器を接続するためのチューブおよびパイプ、
ｅ．温度制御手段、
ｆ．圧力制御手段、ならびに
ｇ．ガス流速制御手段
を含む、請求項１から１２のいずれかに記載の方法によって物質を表面コーティングするためのシステムであって、該システムは必要に応じて、
ｈ．加熱手段、
ｉ．出発物質用の容器、
ｊ．表面処理した物質用の容器、
ｋ．ＨＣｌを捕捉するための容器、
ｌ．試薬および担体ガスの気相をポンピングするためのポンプ、ならびに／または
ｍ．表面処理した物質を冷却するおよび／または反応器を出て行くガスを冷却するための冷却器
をさらに含み、該システムシステムは必要に応じて、
ｎ．前記コーティングプロセスを行う際に前記物質を撹拌するための撹拌手段、
ｏ．該物質を表面コーティングに再循環させるための再循環手段、
ｐ．反応器に未処理の（コーティングされていない）物質を供給するための供給手段
をさらに含み、該システムシステムは必要に応じて、
ｑ．１つまたは複数のマグネトロン
をさらに含む、システム。